(57)【要約】【課題】天候の変化による各顧客の電力の使用状況あるいは各顧客の電気料金に対するニーズに合致した天候デリバティブ内蔵型の電気料金の提案を効率的におこなうこと。【解決手段】顧客の識別情報を入力する顧客情報入力（受信）部４０１と、入力された顧客の識別情報に基づいて、顧客の過去の電気料金に関する情報を取得する電力使用量／電気料金情報取得部４０２と、入力された顧客の識別情報に基づいて、顧客の電力使用場所を含む地域または顧客の電力使用場所と関連がある地域における過去の天候情報を取得する天候情報取得部４０４と、取得された過去の電気料金に関する情報と、取得された過去の天候情報とに基づいて、顧客の電気料金と天候との関連性を分析する関連性分析部４０８と、を備える。【選択図】      図４
2005018647.tif 000002
【特許請求の範囲】
【請求項１】
顧客の識別情報を入力する顧客情報入力手段と、
前記顧客情報入力手段によって入力された顧客の識別情報に基づいて、前記顧客の過去の電気料金に関する情報を取得する電気料金情報取得手段と、
前記顧客情報入力手段によって入力された顧客の識別情報に基づいて、前記顧客の電力使用場所を含む地域または前記顧客の電力使用場所と関連がある地域における過去の天候情報を取得する天候情報取得手段と、
前記電気料金情報取得手段によって取得された過去の電気料金に関する情報と、前記天候情報取得手段によって取得された過去の天候情報と、に基づいて、前記顧客の電気料金と天候との関連性を分析する関連性分析手段と、
を備えたことを特徴とする電気料金提案支援装置。
【請求項２】
さらに、前記関連性分析手段によって分析された結果に基づいて、料金メニューを決定する料金メニュー決定手段を備えたことを特徴とする請求項１に記載の電気料金提案支援装置。
【請求項３】
前記料金メニュー決定手段は、顧客の電気料金をヘッジする料金メニューを決定することを特徴とする請求項２に記載の電気料金提案支援装置。
【請求項４】
さらに、前記関連性分析手段によって分析された結果および前記料金メニュー決定手段によって決定された料金メニューに関する情報の少なくとも一つをインターネットやＬＡＮなどのネットワークを介して閲覧可能に所定の記憶領域に登録する登録手段を備えたことを特徴とする請求項１〜３のいずれか一つに記載の電気料金提案支援装置。
【請求項５】
前記顧客情報入力手段は、前記ネットワークを介して前記顧客情報を受信することを特徴とする請求項１〜４のいずれか一つに記載の電気料金提案支援装置。
【請求項６】
前記関連性分析手段は、過去の所定の日時ごとに前記顧客の電気料金と天候とを比較することによって、前記顧客の電気料金と天候との関連性を分析することを特徴とする請求項１〜５のいずれか一つに記載の電気料金提案支援装置。
【請求項７】
前記関連性分析手段は、前記電気料金情報取得手段によって取得された過去の電気料金に関する情報と、前記天候情報取得手段によって取得された過去の天候情報と、さらに、月情報または曜日情報などの暦情報とに基づいて、前記顧客の電気料金と天候と暦との関連性を分析することを特徴とする請求項１〜６のいずれか一つに記載の電気料金提案支援装置。
【請求項８】
前記顧客情報入力手段によって入力された顧客の識別情報に基づいて、前記顧客の過去の売上高、経費または利益に関する情報を取得する売上高／利益情報取得手段を備え、
前記関連性分析手段は、前記電気料金情報取得手段によって取得された過去の電気料金に関する情報と、前記天候情報取得手段によって取得された過去の天候情報と、前記売上高／利益情報取得手段によって取得された過去の売上高、経費または利益に関する情報とに基づいて、前記顧客の電気料金と天候と売上高、経費または利益との関連性を分析することを特徴とする請求項１〜７のいずれか一つに記載の電気料金提案支援装置。
【請求項９】
前記天候情報は、気圧、気温、平均蒸気圧、湿度、雲量、日照時間、全天日射量、降水量、最深積雪、降雪深さ、風速、風向、水温の少なくとも一つに関する情報であることを特徴とする請求項１〜８のいずれか一つに記載の電気料金提案支援装置。
【請求項１０】
顧客の識別情報を入力する顧客情報入力工程と、
前記顧客情報入力工程によって入力された顧客の識別情報に基づいて、前記顧客の過去の電気料金に関する情報を取得する電気料金情報取得工程と、
前記顧客情報入力工程によって入力された顧客の識別情報に基づいて、前記顧客の電力使用場所を含む地域または前記顧客の電力使用場所と関連がある地域における過去の天候情報を取得する天候情報取得工程と、
前記電気料金情報取得工程によって取得された過去の電気料金に関する情報と、前記天候情報取得工程によって取得された過去の天候情報とに基づいて、前記顧客の電気料金と天候との関連性を分析する関連性分析工程と、
を含んだことを特徴とする電気料金提案支援方法。
【請求項１１】
さらに、前記関連性分析工程によって分析された結果に基づいて、料金メニューを決定する料金メニュー決定工程を含んだことを特徴とする請求項１０に記載の電気料金提案支援方法。
【請求項１２】
前記料金メニュー決定工程は、顧客の電気料金をヘッジする料金メニューを決定することを特徴とする請求項１１に記載の電気料金提案支援方法。
【請求項１３】
前記関連性分析工程は、過去の所定の日時ごとに前記顧客の電気料金と天候とを比較することによって、前記顧客の電気料金と天候との関連性を分析することを特徴とする請求項１０〜１２のいずれか一つに記載の電気料金提案支援方法。
【請求項１４】
前記関連性分析工程は、前記電気料金情報取得工程によって取得された過去の電気料金に関する情報と、前記天候情報取得工程によって取得された過去の天候情報と、さらに、月情報または曜日情報などの暦情報とに基づいて、前記顧客の電気料金と天候と暦との関連性を分析することを特徴とする請求項１０〜１３のいずれか一つに記載の電気料金提案支援方法。
【請求項１５】
前記顧客情報入力工程によって入力された顧客の識別情報に基づいて、前記顧客の過去の売上高、経費または利益に関する情報を取得する売上高／利益情報取得工程を含み、
前記関連性分析工程は、前記電気料金情報取得工程によって取得された過去の電気料金に関する情報と、前記天候情報取得工程によって取得された過去の天候情報と、前記売上高／利益情報取得工程によって取得された過去の売上高、経費または利益に関する情報とに基づいて、前記顧客の電気料金と天候と売上高、経費または利益との関連性を分析することを特徴とする請求項１０〜１４のいずれか一つに記載の電気料金提案支援方法。
【請求項１６】
前記請求項１０〜１５のいずれか一つに記載された方法をコンピュータに実行させるプログラム。
【発明の詳細な説明】
【０００１】
【発明の属する技術分野】
この発明は、電力会社が顧客に対して天候に応じて電気料金を変化させる、いわゆる天候デリバティブ内蔵型の電気料金を提案する際に用いる電気料金提案支援装置、電気料金提案支援方法、およびその方法をコンピュータに実行させるプログラムに関する。
【０００２】
【従来の技術】
従来、たとえば冷夏、猛暑、暖冬、厳冬、空梅雨、長雨などの例年とは異なる異常気象によって企業の業績が悪化する場合があり、特に猛暑や厳冬の場合には電力使用量が増加するだけでなく、電気料金の単価も上昇することが予想されるため、その結果、総コスト（経費）に占める電気料金比率を上昇させてしまうことがあった。このように、多くの企業において、異常気象に対するいわゆるデリバティブ・ニーズ、すなわちコストとしての電気料金の変動を抑制したいという要求が高まってきている。
【０００３】
【発明が解決しようとする課題】
しかしながら、上記従来の技術にあっては、天候と電力使用量／電気料金との相関関係を正確に把握することができないという問題点があった。その問題点の背景として、電力使用量／電気料金と天候との相関関係が容易に推測できないという問題点があった。特に、複数の要素（気圧、気温、降水量など）との組み合わせを考慮した場合はより複雑になるという問題点があった。また通常、電力使用量／電気料金に関する情報は電力会社が、天候情報に関する情報は気象庁あるいは観測所が、売上高／利益に関する情報は企業が有しており、それぞれの情報が分散されているため、それらを統合して相関関係を正確に把握するのは、電力会社にとっても、また各顧客にとっても困難であるという問題点があった。
【０００４】
この発明は、上記課題（問題点）を解決するためになされたものであり、天候の変化による各顧客の電力の使用状況あるいは各顧客の電気料金に対するニーズに合致した天候デリバティブ内蔵型の電気料金の提案を効率的におこなうことが可能な電気料金提案支援装置、電気料金提案支援方法、およびその方法をコンピュータに実行させるプログラムを提供することを目的としている。
【０００５】
【課題を解決するための手段】
上記課題を解決するために、請求項１に記載の発明にかかる電気料金提案支援装置は、顧客の識別情報を入力する顧客情報入力手段と、前記顧客情報入力手段によって入力された顧客の識別情報に基づいて、前記顧客の過去の電気料金に関する情報を取得する電気料金情報取得手段と、前記顧客情報入力手段によって入力された顧客の識別情報に基づいて、前記顧客の電力使用場所を含む地域または前記顧客の電力使用場所と関連がある地域における過去の天候情報を取得する天候情報取得手段と、前記電気料金情報取得手段によって取得された過去の電気料金に関する情報と、前記天候情報取得手段によって取得された過去の天候情報と、に基づいて、前記顧客の電気料金と天候との関連性を分析する関連性分析手段と、を備えたことを特徴とする。
【０００６】
この請求項１に記載の発明によれば、過去の電気料金の実績に基づいて、顧客ごとの電気料金と天候との関連性を容易に知ることができる。
【０００７】
また、請求項２に記載の発明にかかる電気料金提案支援装置は、請求項１に記載の発明において、さらに、前記関連性分析手段によって分析された結果に基づいて、料金メニューを決定する料金メニュー決定手段を備えたことを特徴とする。
【０００８】
この請求項２に記載の発明によれば、顧客ごとの電気料金と天候との関連性に基づいた料金メニューを容易に知ることができる。
【０００９】
また、請求項３に記載の発明にかかる電気料金提案支援装置は、請求項２に記載の発明において、前記料金メニュー決定手段が、顧客の電気料金をヘッジする料金メニューを決定することを特徴とする。
【００１０】
この請求項３に記載の発明によれば、顧客にとって、天候の変動にともなう電気料金変動のリスクを軽減することができる。
【００１１】
また、請求項４に記載の発明にかかる電気料金提案支援装置は、請求項１〜３のいずれか一つに記載の発明において、さらに、前記関連性分析手段によって分析された結果に関する情報および前記料金メニュー決定手段によって決定された料金メニューに関する情報の少なくとも一つをインターネットやＬＡＮなどのネットワークを介して閲覧可能に所定の記憶領域に登録する登録手段を備えたことを特徴とする。
【００１２】
この請求項４に記載の発明によれば、顧客ごとの電気料金と天候との関連性や顧客ごとの電気料金と天候との関連性に基づいた料金メニューをインターネットやＬＡＮなどのネットワークを介して容易に知ることができる。
【００１３】
また、請求項５に記載の発明にかかる電気料金提案支援装置は、請求項１〜４のいずれか一つに記載の発明において、前記顧客情報入力手段が、前記ネットワークを介して前記顧客情報を受信することを特徴とする。
【００１４】
この請求項５に記載の発明によれば、顧客ごとの電気料金と天候との関連性分析要求および顧客ごとの電気料金と天候との関連性に基づいた料金メニューの作成要求をインターネットやＬＡＮなどのネットワークを介して容易におこなうことができる。
【００１５】
また、請求項６に記載の発明にかかる電気料金提案支援装置は、請求項１〜５のいずれか一つに記載の発明において、前記関連性分析手段が、過去の所定の日時ごとに前記顧客の電気料金と天候とを比較することによって、前記顧客の電気料金と天候との関連性を分析することを特徴とする。
【００１６】
この請求項６に記載の発明によれば、所定の日時、たとえば月単位ごと、週単位ごと、日単位ごとなどの電気料金と天候との関連性を容易に知ることができる。
【００１７】
また、請求項７に記載の発明にかかる電気料金提案支援装置は、請求項１〜６のいずれか一つに記載の発明において、前記関連性分析手段が、前記電気料金情報取得手段によって取得された過去の電気料金に関する情報と、前記天候情報取得手段によって取得された過去の天候情報と、さらに、月情報または曜日情報などの暦情報とに基づいて、前記顧客の電気料金と天候と暦との関連性を分析することを特徴とする。
【００１８】
この請求項７に記載の発明によれば、顧客ごとの電気料金と天候との関連性だけでなく、暦情報を含めた相互の関連性（相関関係）を容易に知ることができる。
【００１９】
また、請求項８に記載の発明にかかる電気料金提案支援装置は、請求項１〜７のいずれか一つに記載の発明において、前記顧客情報入力手段によって入力された顧客の識別情報に基づいて、前記顧客の過去の売上高、経費または利益に関する情報を取得する売上高／利益情報取得手段を備え、前記関連性分析手段が、前記電気料金情報取得手段によって取得された過去の電気料金に関する情報と、前記天候情報取得手段によって取得された過去の天候情報と、前記売上高／利益情報取得手段によって取得された過去の売上高、経費または利益に関する情報とに基づいて、前記顧客の電気料金と天候と売上高、経費または利益との関連性を分析することを特徴とする。
【００２０】
この請求項８に記載の発明によれば、顧客ごとの電気料金と天候との関連性だけでなく、売上高、経費または利益に関する情報を含めた相互の関連性（相関関係）を容易に知ることができる。
【００２１】
また、請求項９に記載の発明にかかる電気料金提案支援装置は、請求項１〜８のいずれか一つに記載の発明において、前記天候情報が、気圧、気温、平均蒸気圧、湿度、雲量、日照時間、全天日射量、降水量、最深積雪、降雪深さ、風速、風向、水温の少なくとも一つに関する情報であることを特徴とする。
【００２２】
この請求項９に記載の発明によれば、顧客ごとの電気料金と天候との関連性のうち、気圧、気温、平均蒸気圧、湿度、雲量、日照時間、全天日射量、降水量、最深積雪、降雪深さ、風速、風向、水温との関連性を容易に知ることができる。
【００２３】
また、請求項１０に記載の発明にかかる電気料金提案支援方法は、顧客の識別情報を入力する顧客情報入力工程と、前記顧客情報入力工程によって入力された顧客の識別情報に基づいて、前記顧客の過去の電気料金に関する情報を取得する電気料金情報取得工程と、前記顧客情報入力工程によって入力された顧客の識別情報に基づいて、前記顧客の電力使用場所を含む地域または前記顧客の電力使用場所と関連がある地域における過去の天候情報を取得する天候情報取得工程と、前記電気料金情報取得工程によって取得された過去の電気料金に関する情報と、前記天候情報取得工程によって取得された過去の天候情報とに基づいて、前記顧客の電気料金と天候との関連性を分析する関連性分析工程と、を含んだことを特徴とする。
【００２４】
この請求項１０に記載の発明によれば、過去の電気料金の実績に基づいて、顧客ごとの電気料金と天候との関連性を容易に知ることができる。
【００２５】
また、請求項１１に記載の発明にかかる電気料金提案支援方法は、請求項１０に記載の発明において、さらに、前記関連性分析工程によって分析された結果に基づいて、料金メニューを決定する料金メニュー決定工程を含んだことを特徴とする。
【００２６】
この請求項１１に記載の発明によれば、顧客ごとの電気料金と天候との関連性に基づいた料金メニューを容易に知ることができる。
【００２７】
また、請求項１２に記載の発明にかかる電気料金提案支援方法は、請求項１１に記載の発明において、前記料金メニュー決定工程が、顧客の電気料金をヘッジする料金メニューを決定することを特徴とする。
【００２８】
この請求項１２に記載の発明によれば、顧客にとって、天候の変動にともなう電気料金変動のリスクを軽減することができる。
【００２９】
また、請求項１３に記載の発明にかかる電気料金提案支援方法は、請求項１０〜１２のいずれか一つに記載の発明において、前記関連性分析工程が、過去の所定の日時ごとに前記顧客の電気料金と天候とを比較することによって、前記顧客の電気料金と天候との関連性を分析することを特徴とする。
【００３０】
この請求項１３に記載の発明によれば、所定の日時、たとえば月単位ごと、週単位ごと、日単位ごとなどの電気料金と天候との関連性を容易に知ることができる。
【００３１】
また、請求項１４に記載の発明にかかる電気料金提案支援方法は、請求項１０〜１３のいずれか一つに記載の発明において、前記関連性分析工程が、前記電気料金情報取得工程によって取得された過去の電気料金に関する情報と、前記天候情報取得工程によって取得された過去の天候情報と、さらに、月情報または曜日情報などの暦情報とに基づいて、前記顧客の電気料金と天候と暦との関連性を分析することを特徴とする。
【００３２】
この請求項１４に記載の発明によれば、顧客ごとの電気料金と天候との関連性だけでなく、暦情報を含めた相互の関連性（相関関係）を容易に知ることができる。
【００３３】
また、請求項１５に記載の発明にかかる電気料金提案支援方法は、請求項１０〜１４のいずれか一つに記載の発明において、前記顧客情報入力工程によって入力された顧客の識別情報に基づいて、前記顧客の過去の売上高、経費または利益に関する情報を取得する売上高／利益情報取得工程を含み、前記関連性分析工程が、前記電気料金情報取得工程によって取得された過去の電気料金に関する情報と、前記天候情報取得工程によって取得された過去の天候情報と、前記売上高／利益情報取得工程によって取得された過去の売上高、経費または利益に関する情報とに基づいて、前記顧客の電気料金と天候と売上高、経費または利益との関連性を分析することを特徴とする。
【００３４】
この請求項１５に記載の発明によれば、顧客ごとの電気料金と天候との関連性だけでなく、売上高、経費または利益に関する情報を含めた相互の関連性（相関関係）を容易に知ることができる。
【００３５】
また、請求項１６に記載の発明にかかるプログラムは、前記請求項１０〜１５のいずれか一つに記載された方法をコンピュータに実行させることができる。
【００３６】
【発明の実施の形態】
以下に添付図面を参照して、この発明にかかる電気料金提案支援装置、電気料金提案支援方法、およびその方法をコンピュータに実行させるプログラムの好適な実施の形態について詳細に説明する。
【００３７】
（本実施の形態の概要）
まず、この発明の本実施の形態の概要について説明する。図１は、この発明の本実施の形態の概要を示す説明図である。図１において、電力使用量／電気料金と天候との関係を知りたい顧客１０１は、電力会社１０２のホームページ上から顧客番号を入力することによって、インターネットやＬＡＮなどのネットワーク１００を介して電力会社１０２（のサーバ２００）へ問い合わせをおこなう（Ｃ１）。
【００３８】
電力会社１０２（のサーバ２００）は、上記問い合わせに対して、顧客データベース（後述する図４に示す電力使用量／電気料金データベース４０３）の中から、当該顧客１０１の過去５年間あるいは１０年間といった所定の期間の電力使用量、電気料金、負荷率、対売上高比率、契約電力などのデータを抽出する（Ｅ１）。ここで、負荷率とは、ある負荷がどの程度に使用されているかを示すための尺度である。負荷率が高いほどそれに対する供給設備が有効に使用されていることになる。負荷率は、以下の式で表すことができる。
【００３９】
（ある期間中の負荷の平均電力）／（同期間中の負荷の最大電力）×１００％
【００４０】
また、電力会社１０２は、過去４０年間の天候データベース（後述する図４に示す天候情報データベース４０５）の中から、当該顧客１０１の所在地域などのデータを抽出する（Ｅ２）。
【００４１】
その後、電力会社１０２（のサーバ２００）は、上記Ｅ１およびＥ２において抽出されたデータに基づいて、電力と天候の関連性（相関モデル）の分析をおこなう（Ｅ３）。ここで、相関ありと判断した場合は、顧客１０１の電気料金の天候感応度を把握する。あわせて天候と電力使用量および電気料金のシミュレーションを提供する（Ｅ４）。たとえば、「気温２８℃を越えると１℃あたり約１０万ｋＷｈの電力使用量が増え、その結果約１００万円の電気料金が増加する」といった内容である。一方、電力と天候との相関なしと判断した場合は、「電気料金と天候の変動とは、関係がないようです。」といった内容とする（Ｅ５）。Ｅ４またはＥ５のうちのいずれかの内容をネットワーク１００を介して顧客１０１へ応答する。
【００４２】
つぎに、顧客１０１は、上記応答に基づいて、自らシミュレーションをおこなって電気料金が天候によって変動するリスクを回避したい場合は、解決策を再度、ネットワーク１００を介して電力会社１０２（のサーバ２００）へ問い合わせる（Ｃ２）。これに対して、電力会社１０２は、天候デリバティブの設計をおこない（Ｅ６）、さらには、電気料金への織込みをおこなう（Ｅ７）。そして、「天候リスクをヘッジするような特約のついた電気料金はいかがですか。」という応答・提案をネットワーク１００を介して顧客１０１へおこなう（Ｅ８）。これに対して、顧客１０１は、新料金の導入を検討し（Ｃ３）、その結果、電力会社と新料金について成約することになる。
【００４３】
（電気料金提案システムの構成）
つぎに、この発明の本実施の形態にかかる電気料金提案支援装置を含む電気料金提案システムの構成について説明する。図２は、この発明の本実施の形態にかかる電気料金提案支援装置を含む電気料金提案システムのシステム構成を示す説明図である。図２において、電気料金提案システムは、電気料金提案支援装置である電力会社サーバ２００と、電力会社１０２の担当者の担当者端末装置２０１と、顧客１０１の顧客端末装置２０２とが、インターネットやＬＡＮなどのネットワーク１００によって接続されている。
【００４４】
電力会社サーバ２００は、Ｗｅｂサーバとしての役割を果たしてもよく、また、電力会社サーバ２００とは別にＷｅｂサーバ（図示省略）を設けるようにしてもよい。また、担当者端末装置２０１および顧客端末装置２０２には、Ｗｅｂブラウザがインストールされており、電力会社サーバ２００とのデータのやりとりはこのＷｅｂブラウザによっておこなうことができる。
【００４５】
また、担当者端末装置２０１は、顧客先で提案ができるように、携帯型の情報端末装置、たとえばノート型パーソナルコンピュータやＰＤＡ（携帯電話機も含む）であってもよい。
【００４６】
（電気料金提案支援装置のハードウエア構成）
つぎに、この発明の本実施の形態にかかる電気料金提案支援装置のハードウエア構成について説明する。図３は、この発明の本実施の形態にかかる電気料金提案支援装置のハードウエア構成を示す説明図（ブロック図）である。図３において、３０１は装置全体を制御するＣＰＵを、３０２は基本入出力プログラムを記憶したＲＯＭを、３０３はＣＰＵ３０１のワークエリアとして使用されるＲＡＭを、それぞれ示している。
【００４７】
また、３０４はＣＰＵ３０１の制御にしたがってＨＤ（ハードディスク）３０５に対するデータのリード／ライトを制御するＨＤＤ（ハードディスクドライブ）を、３０５はＨＤＤ３０４の制御にしたがって書き込まれたデータを記憶するＨＤを、それぞれ示している。また、３０６はＣＰＵ３０１の制御にしたがってＦＤ（フレキシブルディスク）３０７に対するデータのリード／ライトを制御するＦＤＤ（フレキシブルディスクドライブ）を、３０７はＦＤＤ３０６の制御にしたがって書き込まれたデータを記憶する着脱自在の記憶媒体の一例としてのＦＤを、それぞれ示している。
【００４８】
また、３０８はカーソル、メニュー、ウィンドウ、あるいは文字や画像などの各種データを表示するディスプレイを、３０９は通信回線３１０を介してネットワークＮＥＴに接続され、そのネットワーク１００とＣＰＵ３０１とのインタフェースとして機能するＩ／Ｆ（インタフェース）を、それぞれ示している。また、３１１は文字、数値、各種指示などの入力のための複数のキーを備えたキーボードを、３１２は各種指示の選択や実行、処理対象の選択、カーソルの移動などをおこなうマウスを、それぞれ示している。
【００４９】
また、３１３は文字や画像を光学的に読み取るスキャナを、３１４はＣＰＵ３０１の制御にしたがって文字や画像を印刷するプリンタを、３１５は着脱可能な記録媒体であるＣＤ−ＲＯＭを、３１６はＣＤ−ＲＯＭ３１５に対するデータのリードを制御するＣＤ−ＲＯＭドライブを、３００は上記各部を接続するためのバスを、それぞれ示している。
【００５０】
（電気料金提案支援装置の機能的構成）
つぎに、この発明の本実施の形態にかかる電気料金提案支援装置の機能的構成について説明する。図４は、この発明の本実施の形態にかかる電気料金提案支援装置の機能的構成を示す説明図（ブロック図）である。図４において、電気料金提案支援装置は、顧客情報入力（受信）部４０１と、電力使用量／電気料金情報取得部４０２と、電力使用量／電気料金データベース４０３と、天候情報取得部４０４と、天候情報データベース４０５と、売上高／利益情報取得部４０６と、売上高／利益情報データベース４０７と、関連性分析部４０８と、料金メニュー決定部４０９と、サイト登録部４１０と、を含む構成となっている。
【００５１】
ここで、顧客情報入力（受信）部４０１は、顧客１０１の識別情報（たとえば、顧客番号、パスワードなど）を入力する。顧客情報入力（受信）部４０１は、具体的には、たとえば図３に示したキーボード３１１、マウス（ポインティングデバイス）３１２などによってその機能を実現することができる。
【００５２】
また、顧客情報入力（受信）部４０１は、ネットワーク１００を介して顧客１０１の識別情報を受信する。このため、顧客１０１ごとの電力使用量／電気料金と天候との関連性分析要求および顧客ごとの電気料金と天候との関連性に基づいた料金メニューの作成要求をインターネットやＬＡＮなどのネットワーク１００を介して容易におこなうことができる。顧客情報入力（受信）部４０１は、具体的には、たとえば図３に示したＩ／Ｆ３０９によってその機能を実現することができる。なお、顧客の識別情報の入力の方法については図１１において後述する。
【００５３】
電力使用量／電気料金情報取得部４０２は、顧客情報入力（受信）部４０１によって入力または受信された顧客１０１の識別情報に基づいて、顧客１０１の過去に支払われた電気料金に関する情報を電力使用量／電気料金データベース４０３から取得する。電力使用量／電気料金情報取得部４０２は、具体的には、たとえば図３に示したＲＯＭ３０２、ＲＡＭ３０３、ＨＤ３０５などに記録されたプログラムをＣＰＵ３０１が実行することによってその機能を実現することができる。
【００５４】
電力使用量／電気料金データベース４０３は、具体的には、たとえば図３に示したＲＡＭ３０３、ＨＤ３０５、ＦＤ３０７、ＣＤ−ＲＯＭ３１５などによってその機能を実現することができ、たとえば図５に示すデータ構成となっている。図５は、この発明の本実施の形態にかかる電気料金提案支援装置の電力使用量／電気料金データベースのデータ構成の一例を示す説明図である。図５において、電力使用量／電気料金データベース４０３は、各顧客１０１（顧客Ａ、顧客Ｂ、顧客Ｃ、・・・）に対して、過去の電力使用量の実績（ｋＷｈ）およびその電力使用量の実績に基づく電気料金に関する情報が日付ごとに格納されている。たとえば、顧客Ａの２００１年１月１日の電力使用量は「２８４５ｋＷｈ」であることが図５の電力使用量／電気料金データベース４０３から容易に認識できる。
【００５５】
電力使用量／電気料金の実績は、所定の時間間隔ごとになっていれば日単位でなくてもよい。たとえば、時間単位（１時間乃至ｎ時間ごと、あるいは週単位、月単位）の電力使用量であってもよい。さらには、この電力使用量／電気料金データベース４０３に格納する情報は、所定時間間隔ごとではなく、所定の電力使用量（電気料金）に達するまでの時間（日時）に関する情報であってもよい。
【００５６】
また、電力使用量／電気料金データベース４０３には、電力使用量以外に、契約電力、契約の種別（たとえば業務用電力、産業用電力）などが格納されており、それらの情報と電力使用量とから、顧客が実際に支払った電気料金を算出するようにしてもよい。さらに、電力使用量（電気料金）は、各顧客の使用場所（工場、事業所など）ごと別々に格納するようにしてもよい。
【００５７】
天候情報取得部４０４は、顧客情報入力（受信）部４０１によって入力または受信された顧客１０１の識別情報に基づいて、顧客１０１の電力使用場所を含む地域または顧客１０１の電力使用場所と関連がある地域における過去の天候情報を天候情報データベース４０５から取得する。天候情報取得部４０４は、具体的には、たとえば図３に示したＲＯＭ３０２、ＲＡＭ３０３、ＨＤ３０５などに記録されたプログラムをＣＰＵ３０１が実行することによってその機能を実現することができる。
【００５８】
ここで、顧客１０１の電力使用場所を含む地域とは、顧客１０１の所在地であり、たとえば顧客１０１の事業所、工場、店舗などが所在する地域である。一方、顧客１０１の電力使用場所と関連がある地域とは、上記顧客の事業所、工場店舗などが所在する地域とは異なる地域であって、その異なる地域の天候が上記顧客１０１の電力使用場所における電力使用量（電気料金）や売上あるいは利益に影響を与える地域である。
【００５９】
より具体的には、たとえば、顧客１０１が百貨店や映画館であり、その百貨店や映画館とは離れた地域にあるイベント会場（たとえば野球場）などで雨が降った場合には、イベントが中止になり、そのイベントに参加する予定であった多くの観客が鉄道などを利用して上記百貨店や映画館を訪れることがある。その場合に、その百貨店や映画館が所在する地域の天候とは無関係に利用客（あるいは売上）が増加し、その結果電力使用量（電気料金）が増加することが考えられる。したがって、顧客１０１の所在する地域だけでなく、顧客１０１の所在地と関連がある地域も含めて考える方がよい。
【００６０】
天候情報データベース４０５は、具体的には、たとえば図３に示したＲＡＭ３０３、ＨＤ３０５、ＦＤ３０７、ＣＤ−ＲＯＭ３１５などによってその機能を実現することができ、たとえば図６に示すデータ構成となっている。図６は、この発明の本実施の形態にかかる電気料金提案支援装置の天候情報データベースのデータ構成の一例を示す説明図である。図６において、天候情報データベース４０５は、地域を示す地域番号ごとに格納されており、それぞれ、過去の「（平均）気圧」、「気温」、「平均蒸気圧」、「（相対）湿度」、「（平均）雲量」、「日照時間」、「全天日射量」、「降水量」、「最深積雪」、「降雪深さ」、「風速」、「風向」に関する情報が、日付ごとに格納されている。この天候情報は、気象庁発表の観測データであってもよく、また、電力会社が独自に観測したデータあるいは観測業者によるものであってもよい。天候情報データベース４０５には、上記情報のほか、「水源地の水温」、「海水の水温」などに関する情報が格納されていてもよい。
【００６１】
ここで、「雲量」とは、全天のどのくらいの割合が雲に覆われているかを示すものであり、０〜１０の数値で表す。雲量「０」がまったく雲がない状態であり、雲量「１０」が全天すべて雲で覆われている状態である。降水がない場合、雲量の値によって、雲量が０〜１の場合は快晴であり、雲量２〜８が晴れであり、雲量９〜１０がくもりとなる。
【００６２】
また、「全天日射量」とは、単位面積の水平面に入射する太陽放射の総量で、直達日射（単位面積の水平面に入射する太陽放射のうち散乱光および反射光を除いた日射量）、天空の全方向から入射する散乱日射（単位面積の水平面に入射する太陽放射のうち直達日射を除き、大気中で空気分子、水蒸気、エアロゾルなどで散乱された光のエネルギー量）および雲からの反射日射をあわせたものである。また、日射量とは、地面付近の水平な平面に入射する太陽エネルギーの単位面積あたりの量である。そして、大気中の水蒸気、ちりおよび雲などの影響を受け刻々の変動が激しいため、ある時刻の瞬時値ではなく、一定時間における積算量を用いることが多い。積算量の単位はメガジュール毎平方メートル（ＭＪ／ｍ２）である。
【００６３】
売上高／利益情報取得部４０６は、顧客情報入力（受信）部４０１によって入力された顧客の識別情報に基づいて、顧客１０１の過去の売上高、経費または利益に関する情報を売上高／利益情報データベース４０７から取得する。売上高／利益情報取得部４０６は、具体的には、たとえば図３に示したＲＯＭ３０２、ＲＡＭ３０３、ＨＤ３０５などに記録されたプログラムをＣＰＵ３０１が実行することによってその機能を実現することができる。
【００６４】
売上高／利益情報データベース４０７は、具体的には、たとえば図３に示したＲＡＭ３０３、ＨＤ３０５、ＦＤ３０７、ＣＤ−ＲＯＭ３１５などによってその機能を実現することができ、たとえば図７に示すデータ構成となっている。図７は、この発明の本実施の形態にかかる電気料金提案支援装置の売上高／利益情報データベースのデータ構成の一例を示す説明図である。図７において、売上高／利益情報データベース４０７は、各顧客１０１（顧客Ａ、顧客Ｂ、顧客Ｃ、・・・）に対して、過去の売上高および利益に関する情報が日付ごとに格納されている。たとえば、顧客Ａの２００１年１月１日の売上高は「２４７８３万円」であり、利益は「３２１０５万円」であることが図７の売上高／利益情報データベース４０７から容易に認識できる。また、図示は省略するが、経費に関する情報が格納されていてもよい。その際、売上高と経費に関する情報のみを格納し、利益に関する情報は、上記売上高と経費に関する情報から算出するようにしてよい。また、同じ月のすべてのデータを集計することによって、月単位のデータとして扱うようにしてもよい。売上高／利益情報データベース４０７には、売上高、経費、利益のほか、顧客の業績に関するその他の情報（たとえば、資本金、従業員数、債務など）をあわせて格納するようにしてもよい。
【００６５】
売上高、経費および利益の情報はいずれか一つのみでもよく、いずれか二つに組み合わせてでもよい。その際どれを基準とするかは顧客１０１が選択できるようにする。売上高、経費および利益の情報は、所定の時間隔ごとになっていれば日単位でなくてもよい。たとえば、週単位や月単位の売上高、経費および利益であってもよい。さらには、この売上高／利益情報データベース４０７に格納する情報は、所定時間間隔ごとではなく、売上高、経費、利益に達するまでの時間（日時）に関する情報であってもよい。また、売上高／利益情報データベース４０７には、売上高／利益情報のほか、経費（コスト）に関する情報が格納されていてもよい。これによって、コストあるいは、コストに占める電気料金の比率や、電気料金以外のコスト構造やその変化を基準とすることもできる。
【００６６】
関連性分析部４０８は、電力使用量／電気料金情報取得部４０２によって取得された過去の電力使用量または電気料金に関する情報と、天候情報取得部４０４によって取得された過去の天候情報とに基づいて、顧客１０１の電気料金と天候との関連性を分析する。関連性分析部４０８は、具体的には、たとえば図３に示したＲＯＭ３０２、ＲＡＭ３０３、ＨＤ３０５などに記録されたプログラムをＣＰＵ３０１が実行することによってその機能を実現することができる。このように、過去の電気料金の支払いの実績に基づいて、顧客１０１ごとの電力使用量（電気料金）と天候との関連性を容易に得ることができる。なお、関連性分析部４０８における関連性分析の具体的な手順については後述する。
【００６７】
また、関連性分析部４０８は、過去の所定の日時ごとに顧客１０１の電力使用量（電気料金）と天候とを比較することによって、顧客１０１の電気料金と天候との関連性を分析するようにしてもよい。このように、所定の日時、たとえば月単位ごと、週単位ごと、日単位ごとなどの電力使用量（電気料金）と天候との関連性を容易に得ることができる。
【００６８】
また、関連性分析部４０８は、電力使用量／電気料金情報取得部４０２によって取得された過去の電力使用量（電気料金）に関する情報と、天候情報取得部４０４によって取得された過去の天候情報と、さらに、月情報または曜日情報などの暦情報とに基づいて、顧客１０１の電力使用量（電気料金）と天候と暦との関連性を分析するようにしてもよい。このように、顧客１０１ごとの電力使用量（電気料金）と天候との関連性だけでなく、暦情報を含めた相互の関連性（相関関係）を容易に得ることができる。
【００６９】
また、関連性分析部４０８は、電力使用量／電気料金情報取得部４０２によって取得された過去の電力使用量に関する情報と、天候情報取得部４０４によって取得された過去の天候情報と、さらに売上高／利益情報取得部４０６によって取得された過去の売上高、経費または利益に関する情報とに基づいて、顧客１０１の電力使用量（電気料金）と天候と売上高、経費または利益との関連性を分析するようにしてもよい。このように、顧客ごとの電力使用量（電気料金）と天候との関連性だけでなく、売上高、経費または利益に関する情報を含めた相互の関連性（相関関係）を容易に知ることができる。
【００７０】
料金メニュー決定部４０９は、関連性分析部４０８によって分析された結果に基づいて、料金メニューを決定する。料金メニュー決定部４０９は、具体的には、たとえば図３に示したＲＯＭ３０２、ＲＡＭ３０３、ＨＤ３０５などに記録されたプログラムをＣＰＵ３０１が実行することによってその機能を実現することができる。このように、顧客１０１ごとの電力使用量（電気料金）と天候との関連性に基づいた料金メニューを容易に知ることができる。なお、料金メニュー決定部４０９における料金メニュー決定の具体的な手順については後述する。
【００７１】
サイト登録部４１０は、関連性分析部４０８によって分析された結果に関する情報および料金メニュー決定部４０９によって決定された料金メニューに関する情報の少なくとも一つをインターネットやＬＡＮなどのネットワーク１００を介して閲覧可能に所定の記憶領域に登録する。ここで、上記所定の記憶領域は、電力会社サーバ２００が、Ｗｅｂサーバとしての役割を果たす場合には、電力会社サーバ２００内のたとえば図３に示したＲＡＭ３０３、ＨＤ３０５、ＦＤ３０７、ＣＤ−ＲＯＭ３１５などによってその機能を実現することができる。
【００７２】
また、電力会社サーバ２００とは別にＷｅｂサーバ（図示省略）を設けた場合は、上記所定の記憶領域はそのＷｅｂサーバ内の所定の記憶領域となる。そして、その所定の記憶領域に格納された情報は、クライアント（担当者端末装置２０１、顧客端末装置２０２）からの要求に応じて、当該クライアントへ送信される。
【００７３】
サイト登録部４１０は、具体的には、たとえば図３に示したＲＯＭ３０２、ＲＡＭ３０３、ＨＤ３０５などに記録されたプログラムをＣＰＵ３０１が実行することによってその機能を実現することができる。このように、顧客ごとの電力使用量（電気料金）と天候との関連性に基づいた料金メニューをインターネットやＬＡＮなどのネットワーク１００を介して容易に知ることができる。
【００７４】
上記構成において、電力使用量／電気料金データベース４０３、天候情報データベース４０５、売上高／利益情報データベース４０７は、電気料金提案支援装置（電力会社サーバ）２００内に設けられているような構成としたが、これらのデータベース４０３，４０５，４０７は、電気料金提案支援装置（電力会社サーバ）２００内に設けられている必要はなく、電気料金提案支援装置（電力会社サーバ）２００とインターネットやＬＡＮなどのネットワーク１００を介してそれぞれ別のサーバ（図示省略）内に設けられていてもよい。すなわち、電力使用量／電気料金データベース４０３は電力会社１０２内に、天候情報データベース４０５は気象庁内あるいは観測所内に、売上高／利益情報データベース４０７は各顧客１０１の社内に、それぞれ分散して設置されていてもよい。
【００７５】
その場合、電力使用量／電気料金情報取得部４０２、天候情報取得部４０４、売上高／利益情報取得部４０６は、図３に示したＩ／Ｆ３０９によってそれらの機能を実現することができる。すなわち、電力使用量／電気料金情報取得部４０２、天候情報取得部４０４、売上高／利益情報取得部４０６は、ネットワーク１００を介して各データベースが設けられているサーバにアクセスして、送信要求をおこなうことで必要な情報を取得することができる。
【００７６】
（電気料金提案支援装置の処理手順）
つぎに、この発明の本実施の形態にかかる電気料金提案支援装置の一連の処理の手順について説明する。図８は、この発明の本実施の形態にかかる電気料金提案支援装置の一連の処理の内容を示すフローチャートである。図８のフローチャートにおいて、まず、顧客情報（顧客番号・パスワードなど）が入力されたか否かを判断する（ステップＳ８０１）。ここで、顧客情報が入力されるのを待って、入力された場合（ステップＳ８０１：Ｙｅｓ）は、つぎに、その顧客情報に対応する顧客の電力使用量情報および電気料金情報を電力使用量／電気料金データベース４０３から取得する（ステップＳ８０２）とともに、その顧客情報に対応する顧客の所在地または関連のある地域の天候情報を取得する（ステップＳ８０３）。
【００７７】
つぎに、暦情報を考慮するとの指示があるか否かを判断し（ステップＳ８０４）、指示がある場合（ステップＳ８０４：Ｙｅｓ）は、暦情報を取得し（ステップＳ８０５）、指示がない場合（ステップＳ８０４：Ｎｏ）は、何もせずに、それぞれ、ステップＳ８０６へ移行する。暦情報はあらかじめ電気料金提案支援装置のＯＳなどで管理している情報を用いることができるため、あえてデータベースを設けなくてもよい。
【００７８】
つぎに、売上高／利益情報を考慮するとの指示があるか否かを判断し（ステップＳ８０６）、指示がある場合（ステップＳ８０６：Ｙｅｓ）は、売上高／利益情報を売上高／利益情報データベース４０７から取得し（ステップＳ８０７）、指示がない場合（ステップＳ８０６：Ｎｏ）は、何もせずに、それぞれ、ステップＳ８０８へ移行する。
【００７９】
そして、取得した情報に基づいて、電力使用量／電気料金と天候との関連性の分析処理をおこなう（ステップＳ８０８）。分析処理が終了した後、分析結果に関する情報を出力し、ネットワーク１００を介して閲覧可能に上記所定の記憶領域に記憶する（ステップＳ８０９）。
【００８０】
つぎに、料金メニューの作成の指示があるか否かを判断し（ステップＳ８１０）、指示がない場合（ステップＳ８１０：Ｎｏ）は、何もせずに一連の処理を終了する。一方、指示がある場合（ステップＳ８１０：Ｙｅｓ）は、料金メニューの作成処理をおこなう（ステップＳ８１１）。料金メニューの作成処理が終了した後、作成された料金メニューに関する情報を出力し、ネットワーク１００を介して閲覧可能に上記所定の記憶領域に記憶し（ステップＳ８１２）、一連の処理を終了する。また、ステップＳ８１２において、電気料金領収書の所定欄に新料金メニューの効果として記載するようにしてもよい。その際は、図３に示したプリンタ３１４を用いておこなう。
【００８１】
つぎに、この発明の本実施の形態にかかる電気料金提案支援装置の、図８に示したステップＳ８０８の電力使用量／電気料金と天候の関連性の分析処理の手順について説明する。図９は、この発明の本実施の形態にかかる電気料金提案支援装置の、電力使用量／電気料金と天候の関連性の分析処理の内容を示すフローチャートである。図９のフローチャートにおいて、所定の日時（間隔）ごとに分割し、最初の日時（間隔）を抽出する（ステップＳ９０１）。所定の日時（間隔）とは、たとえば、日単位、週単位、または月単位などである。より具体的には、日単位の場合は、最初の時間間隔は「１月１日」の１日分である。
【００８２】
つぎに、分割された所定の日時（間隔）ごとに分割された最初の日時（間隔）における過去の電力使用量および電気料金の平均値を算出する（ステップＳ９０２）。たとえば、過去５年分の「１月１日」の顧客１０１の電力使用量および電気料金に関する情報を図４に示した電力使用量／電気料金データベース４０３から抽出し、それらの平均値を算出する。そして、算出された平均値に対して、過去の各年の電力使用量または電気料金が所定量以上増加しているか否かを判断する（ステップＳ９０３）。
【００８３】
ステップＳ９０３において、所定量以上増加していない場合（ステップＳ９０３：Ｎｏ）は、何もせずに、ステップＳ９０８へ移行する。一方、ステップＳ９０３において、所定量以上増加している場合（ステップＳ９０３：Ｙｅｓ）は、つぎに、上記日時（間隔）、すなわち「１月１日」における所在地を含む地域あるいは所在地と関連のある地域の天候情報を天候情報データベース４０５から抽出し（ステップＳ９０４）、抽出された天候情報の平均値を算出する（ステップＳ９０５）。
【００８４】
つぎに、ステップＳ９０３において、電力使用量または電気料金が所定量以上増加していた年の天候情報が、ステップＳ９０５において算出した平均値に対して、所定量以上変化しているか否かを判断する（ステップＳ９０６）。天候情報が平均値に対して所定量以上変化しているとは、たとえば天候情報が気温の場合、算出した平均値が３０℃に対して、所定の年の気温が３５℃以上となっている場合は、所定量以上変化しているとし、３５℃未満であれば、所定量以上変化していないと判断する。
【００８５】
ここで、天候情報が気温の場合には、ＣＤＤ（Ｃｏｏｌｉｎｇ  ＤｅｇｒｅｅＤａｙｓ）またはＨＤＤ（Ｈｅａｔｉｎｇ  Ｄｅｇｒｅｅ  Ｄａｙｓ）を用いて所定量以上変化しているか否かを判断するようにしてもよい。「ＤｅｇｒｅｅＤａｙｓ」とは、一日平均気温の華氏６５度（摂氏１８．３３度）からの乖離度を示すものであり、ＣＤＤによって、夏はどれだけ上回ったかによって、夏期の冷房必要度を判断することができる。反対に、ＨＤＤによって、冬はどれだけ下回ったかによって、冬期の暖房必要度を判断することができる。
【００８６】
たとえば、８月の毎日の平均気温が華氏７７度であれば、累積ＣＤＤ＝１２×３１（日間）＝３７２となる。実際には、日々それぞれのＣＤＤを算出していくことになる。このようにして、ＣＤＤ（ＨＤＤ）の増加を持って判断することもできる。
【００８７】
ステップＳ９０６において、所定量以上変化していない場合（ステップＳ９０６：Ｎｏ）は、電力使用量または電気料金が増加したのは、天候とは無関係であると判断して、ステップＳ９０８へ移行する。一方、ステップＳ９０６において、天候情報が所定量以上変化している場合（ステップＳ９０６：Ｙｅｓ）は、その日時（間隔）を特徴部分として抽出する（ステップＳ９０７）。
【００８８】
さらに、その日時（間隔）に暦情報（「１月１日」であることおよび曜日情報など）を付加する。つぎに、ステップＳ９０８において、すべての日時（間隔）において分析が終了したか否かを判断し、未だすべての日時（間隔）において分析が終了していない場合（ステップＳ９０８：Ｎｏ）は、つぎの日時（間隔）を抽出し（ステップＳ９０９）、ステップＳ９０２へ戻る。「１月１日」のつぎの日時（間隔）は「１月２日」である。
【００８９】
そして、ステップＳ９０２〜ステップＳ９０９を繰り返しおこない、ステップＳ９０８において、すべての日時（間隔）において分析が終了した（分析が終了した日時（間隔）が「１２月３１日」である）場合（ステップＳ９０８：Ｙｅｓ）は、一連の処理を終了する。このようにして、抽出した特徴部分を集めたものが分析結果となる。すなわち、どのような天候の変化によって電力使用量または電気料金が増加するかがわかるものである。
【００９０】
また、電力使用量／電気料金と天候の関連性の分析手順については、以下のような手順でおこなってもよい。すなわち、電力使用量／電気料金と天候の関連性の分析は、上記のように電力使用量／電気料金と天候のデータを別々に分析するのではなく、相互に比べて両者間の関連性を分析するという方法であってもよい。
【００９１】
（１）顧客Ａについて、所定の日時（通常は月単位：たとえば７月または７月〜９月の夏季合計としてもよい）の電力使用量および電気料金と気温（月間平均気温）について過去１０年間程度のデータを抽出する。
【００９２】
（２）電力使用量および電気料金を被説明変数とし、同月の平均気温を説明変数とする関数を仮定する。ここで、最も単純な場合は、電力使用量（電気料金）＝ａ×気温＋定数という１次関数となる。
【００９３】
（３）統計的な分析をおこなって、この関数の決定係数が一定以上の値をとるときに上記の関数は有意であるとみなされ、電力使用量（電気料金）と気温とは関連性があると判断することができる。
【００９４】
（４）また、上記の１次関数ではなく、２次、３次関数の方が当てはまりがよい場合も考えられるので、そのような分析もあわせておこなう。たとえば、以下の式のとおりである。
【００９５】
電力使用量（電気料金）＝ａ×気温２＋ｂ×気温＋定数
【００９６】
（５）さらにまた、説明変数をたとえば気温と湿度の二つにした場合の方がさらに当てはまりがよい場合も考えられるので、そのような分析もあわせておこなう。たとえば、以下の式のとおりである。
【００９７】
電力使用量（電気料金）＝ａ×気温＋ｂ×湿度＋定数
【００９８】
（６）ここで、顧客の電力使用量に関して過去に設備を増やした（すなわち契約電力が増加した）ことが影響していないか否かを確認する。そして、仮に設備を増やしていたら、その影響を排除する必要がある。
【００９９】
（７）さらに、電気料金の場合は、市場によって変動する単価に上記電力使用量を乗算して得ることできる。たとえば、以下の式のとおりである。なお、単価は、たとえば、燃料費調整制度によって変動したり、また電力取引市場の創設による電力価格の変動（たとえば、猛暑時に高騰する）などによって変動する。
電気料金＝単価×電力使用量
【０１００】
このように、上記説明した関連性の分析の方法は一例であって、これらの方法に限定されるものではなく、他の方法を用いておこなうようにしてもよい。
【０１０１】
つぎに、この発明の本実施の形態にかかる電気料金提案支援装置の、図８に示したステップＳ８０８の電気使用量／電気料金と天候と電気料金の対売上高（経費、利益）の関連性の分析処理の手順について説明する。図１０は、この発明の本実施の形態にかかる電気料金提案支援装置の、電力使用量と天候と売上高、経費または利益との関連性の分析処理の内容を示すフローチャートである。図１０のフローチャートにおいて、図９のフローチャートに示したステップＳ９０１と同様に、所定の日時（間隔）ごとに分割し、最初の日時（間隔）を抽出する（ステップＳ１００１）。
【０１０２】
つぎに、分割された所定の日時（間隔）ごとに分割された最初の日時（間隔）における過去の電気料金の対売上高（経費、利益）の比率を算出し（ステップＳ１００２）、さらに、算出された比率の平均値を算出する（ステップＳ１００３）。そして、算出された平均値に対して、過去の各年の対売上高（経費、利益）の比率が所定量以上増加しているか否かを判断する（ステップＳ１００４）。
【０１０３】
以下、ステップＳ１００５〜Ｓ１０１０は、図９に示したステップＳ９０４〜Ｓ９０９と同様の処理をおこなうので、その説明は省略する。このようにして、抽出した特徴部分を集めたものが分析結果となる。すなわち、どのような天候の変化によって対売上高（経費、利益）の比率が増加するかがわかるものである。上記説明した関連性の分析の方法は一例であって、この方法に限定されるものではなく、他の方法を用いておこなうようにしてもよい。
【０１０４】
（情報端末装置の表示画面の一例）
つぎに、この発明の本実施の形態にかかる電気料金提案支援装置を含む電気料金提案システムにおける情報端末装置（担当者端末装置２０１、顧客端末装置２０２）の表示画面の内容について説明する。図１１は、この発明の本実施の形態にかかる電気料金提案支援装置を含む電気料金提案システムにおける情報端末装置の表示画面の一例を示す説明図である。
【０１０５】
図１１において、担当者端末装置２０１、顧客端末装置２０２にインストールされたＷｅｂブラウザによって表示される表示画面１１００には、顧客番号入力欄１１０１と、パスワード入力欄１１０２と、地域選択用ラジオボタン１１０３と、地域入力欄１１０４と、日時（間隔）選択用ラジオボタン１１０５と、日時（間隔）入力欄１１０６と、暦情報を考慮するよう指示するためのチェックボックス１１０７と、売上高を考慮するよう指示するためのチェックボックス１１０８と、経費を考慮するよう指示するためのチェックボックス１１０９と、利益を考慮するよう指示するためのチェックボックス１１１０と、料金メニューの作成を指示するためのチェックボックス１１１１と、この表示画面１１００において入力した顧客情報を送信するための『送信』ボタン１１１２と、顧客情報の送信を中止するための『キャンセル』ボタン１１１３と、が表示される。
【０１０６】
オペレータ（電力会社の担当者あるいは顧客）が、この表示画面に所定の情報を入力あるいは選択し、『送信』ボタン１１１２を押下することによって、顧客情報の入力（送信）処理が完了する。そして、送信された顧客情報は、ネットワーク１００を介して、電気料金提案支援装置（電力会社サーバ）２００によって受信されることになる。
【０１０７】
また、図１２は、この発明の本実施の形態にかかる電気料金提案支援装置を含む電気料金提案システムにおける情報端末装置の表示画面の別の一例を示す説明図である。図１２において、表示画面１２００は、分析結果の内容を表示している。表示画面１２００では、文章で結果を示しているが、そのほか、数値を用いたり、グラフを用いたりして表示するようにしてもよい。
【０１０８】
異なる条件による分析を要求する場合には、『はい』ボタン１２０１を押下すると、図１１に示した表示画面１１００を再度表示する。一方、要求しない場合は『いいえ』１２０２を押下すると、この内容が電気料金提案支援装置２００の所定の記憶領域および情報端末装置（担当者端末装置２０１、顧客端末装置２０２）の所定の記憶領域に記憶され、表示画面１２００は消去される。
【０１０９】
また、図１３は、この発明の本実施の形態にかかる電気料金提案支援装置を含む電気料金提案システムにおける情報端末装置の表示画面の別の一例を示す説明図である。図１３において、表示画面１３００は、分析結果の内容を表示している。図１２に示した表示画面１２００が天候と電力使用量との関係についての分析結果を示しているのに対し、図１３に示した表示画面１３００は、あわせて天候と電気料金との関係についての分析結果の一例を示している。
【０１１０】
グラフ１３０１は、気温と電力使用量との関係を示しており、さらに、グラフ１３０２は、気温と電力価格との関係を示している。グラフ１３０２では、過去の電力取引市場の価格と気温との関係から分析した結果を示している。この電力価格に関するデータは、図５に示した電力使用量／電気料金データベース４０３に格納し、そこから取得するようにしてもよく、また、図示を省略する他のデータベースから取得するようにしてもよい。
【０１１１】
また、グラフ１３０３では、気温と電気料金との関係から分析した結果を示している。このように、気温の上昇にともない、電力使用量の増加よりも急激に電気料金が増加することを、顧客に容易に知らしめることができる。また、時期によっては、電力使用量が増加する場合であっても、電気料金がそれほど増加しない場合もあり、このような場合であっても、顧客は天候と電気料金との関係を容易に把握できる。
【０１１２】
『はい』ボタン１３０４および『いいえ』ボタン１３０５は、図１２に示した『はい』ボタン１２０１および『いいえ』ボタン１２０２と同様であるので、その説明は省略する。
【０１１３】
また、図１４は、この発明の本実施の形態にかかる電気料金提案支援装置を含む電気料金提案システムにおける情報端末装置の表示画面の別の一例を示す説明図である。図１４において、表示画面１４００は、分析結果に基づいて提案された料金メニューの内容を示している。表示画面１４００では、文書でメニューを示しているが、そのほか、数値を用いたり、グラフを用いて表示するようにしてもよい。さらに、複数のプラン（タイプ）を同時に表示し、それらを比較できるようにしてもよい。『確認』ボタン１４０１を押下することによって、この内容が電気料金提案支援装置２００の所定の記憶領域および情報端末装置（担当者端末装置２０１、顧客端末装置２０２）の所定の記憶領域に記憶され、表示画面１４００は消去される。
【０１１４】
また、図１５は、この発明の本実施の形態にかかる電気料金提案支援装置を含む電気料金提案システムにおける情報端末装置の表示画面の別の一例を示す説明図である。図１５において、表示画面１５００は、分析結果に基づいて提案された料金メニューの内容を示している。グラフ１５０１において、実線は通常の電気料金であり、波線は電気料金をヘッジした状態を示している。すなわち、２７．５℃を上回ると０．１℃あたりたとえば１０万円（この金額は変動させることができる。また、電気料金の所定の割合（○○％）としてもよい）電気料金が割引され、逆に２６℃を下回ると０．１℃あたり３万円電気料金が割高になることを示している。『確認』ボタン１５０２は、『確認』ボタン１４０１と同様であるので、その説明は省略する。
【０１１５】
（料金メニューの決定方法）
つぎに、この発明の本実施の形態にかかる電気料金提案支援装置における料金メニューの決定方法について説明する。料金メニューの決定の方法には、「キャップ型」と「フロアー型」と「カラー型」の３種類の型が考えられる。図１６、図１７および図１８は、この発明の本実施の形態にかかる電気料金提案支援装置における料金イメージを示す説明図であり、図１６は「キャップ型」を、図１７は「フロアー型」を、図１８は「カラー型」を、それぞれ示している。
【０１１６】
「キャップ型」は、猛暑（気温）にともなって増加する電気料金の上昇に上限を設定する。ここで、気温以外の要因によって消費量が増加して電気料金が増加する分については対象としない。ただし、毎月の電気料金は、通常料金よりも割高な電気料金となる。図１６において、１６０１が通常料金であり、１６０２がキャップ型料金である。
【０１１７】
また、「フロアー型」は、冷夏（気温）にともなって減少する電気料金の減少に下限を設定する。ここで、気温以外の要因によって消費量が減少して電気料金が減少する分については対象としない。ただし、毎月の電気料金は、通常料金よりも割安な電気料金となる。図１７において、１７０１が通常料金であり、１７０２がフロアー型料金である。
【０１１８】
また、「カラー型」は、上記「キャップ型」と「フロアー型」の両方のタイプを兼ね備えたタイプであって、猛暑（気温）にともなって増加する電気料金の上昇に上限を設ける一方、冷夏時の電気料金の減少にも下限を設定する。猛暑時のヘッジをする一方で、冷夏の際の恩恵を放棄することで、実質的にゼロコストとなる。図１８において、１８０１が通常料金であり、１８０２がカラー型料金である。
【０１１９】
さらには、上記「キャップ型」、「フロアー型」、「カラー型」の３種類の型のいずれか２つまたは３つを組み合わせて用いるようにしてもよい。たとえば、上記「カラー型」のように、単純に「キャップ型」と「フロアー型」を組み合わせるだけでなく、両者の比率を変更し、実質的にゼロコストにならないような場合や、上記３種類の型を組み合わせて、通常は「カラー型」を採用し、所定の条件に合致した場合に、「キャップ型」重視あるいは「フロアー型」重視となるように流動性を持たせたものなどが考えられる。
【０１２０】
以上説明したように、本実施の形態によれば、顧客情報入力（受信）部４０１が、顧客１０１の識別情報を入力し、電力使用量／電気料金情報取得部４０２が、顧客情報入力（受信）部４０１によって入力された顧客１０１の識別情報に基づいて、顧客１０１の過去の電力使用量および電気料金に関する情報を取得し、天候情報取得部４０４が、顧客情報入力（受信）部４０１によって入力された顧客１０１の識別情報に基づいて、顧客１０１の電力使用場所を含む地域または顧客１０１の電力使用場所と関連がある地域における過去の天候情報を取得し、関連性分析部４０８が、電力使用量／電気料金情報取得部４０２によって取得された過去の電力使用量および電気料金に関する情報と、天候情報取得部４０４によって取得された過去の天候情報とに基づいて、顧客１０１の電力使用量／電気料金と天候との関連性を分析するため、過去の電力使用量／電気料金の実績に基づいて、顧客ごとの電力使用量／電気料金と天候との関連性を容易に知ることができる。
【０１２１】
また、料金メニュー決定部４０９が、関連性分析部４０８によって分析された結果に基づいて、料金メニューを決定するため、顧客１０１ごとの電力使用量／電気料金と天候との関連性に基づいた料金メニューを容易に知ることができる。これによって、天候の変化による各顧客の電力の使用状況あるいは各顧客の電気料金に対するニーズに合致した天候デリバティブ内蔵型の電気料金の提案を効率的におこなうことができる。
【０１２２】
また、本実施の形態によれば、サイト登録部４１０が、前記関連性分析部４０８によって分析された結果に関する情報および料金メニュー決定部４０９によって決定された料金メニューに関する情報をインターネットやＬＡＮなどのネットワーク１００を介して閲覧可能に所定の記憶領域（たとえばＷｅｂサイト）に登録するため、顧客１０１ごとの電力使用量／電気料金と天候との関連性や顧客１０１ごとの電力使用量／電気料金と天候との関連性に基づいた料金メニューをインターネットやＬＡＮなどのネットワーク１００を介して容易に知ることができる。
【０１２３】
また、本実施の形態によれば、関連性分析部４０８が、過去の所定の日時ごとに顧客１０１の電力使用量／電気料金と天候とを比較することによって、顧客１０１の電力使用量／電気料金と天候との関連性を分析するため、所定の日時、たとえば月単位ごと、週単位ごと、日単位ごとなどの電力使用量／電気料金と天候との関連性を容易に知ることができる。
【０１２４】
また、本実施の形態によれば、関連性分析部４０８が、電力使用量／電気料金情報取得部４０２によって取得された過去の電力使用量および電気料金に関する情報と、天候情報取得部４０４によって取得された過去の天候情報と、さらに、月情報または曜日情報などの暦情報とに基づいて、前記顧客の電力使用量／電気料金と天候と暦との関連性を分析するため、顧客ごとの電力使用量／電気料金と天候との関連性だけでなく、暦情報を含めた相互の関連性（相関関係）を容易に知ることができる。
【０１２５】
また、本実施の形態によれば、売上高／利益情報取得部４０６が、顧客情報入力（受信）部４０１によって入力された顧客１０１の識別情報に基づいて、顧客１０１の過去の売上高、経費または利益に関する情報を取得し、関連性分析部４０８が、電力使用量／電気料金情報取得部４０２によって取得された過去の電力使用量および電気料金に関する情報と、天候情報取得部４０４によって取得された過去の天候情報と、売上高／利益情報取得部４０６によって取得された過去の売上高、経費または利益に関する情報とに基づいて、顧客１０１の電力使用量／電気料金と天候と売上高、経費または利益との関連性を分析するため、顧客ごとの電力使用量／電気料金と天候との関連性だけでなく、売上高、経費または利益に関する情報を含めた相互の関連性（相関関係）を容易に知ることができる。
【０１２６】
なお、本実施の形態においては、電気料金についてのみ記載したが、電気料金の他、水道料金、ガス料金などにも同様に適用可能である。
【０１２７】
また、本実施の形態において説明した電気料金提案支援方法は、あらかじめ用意されたコンピュータ読み取り可能なプログラムであってもよく、またそのプログラムをパーソナルコンピュータやワークステーションなどのコンピュータで実行することによって実現される。このプログラムは、ＨＤ（ハードディスク）、ＦＤ（フレキシブルディスク）、ＣＤ−ＲＯＭ、ＭＯ、ＤＶＤなどのコンピュータで読み取り可能な記録媒体に記録され、コンピュータによって記録媒体から読み出されることによって実行される。また、このプログラムは、インターネットやＬＡＮなどのネットワークを介して配布することが可能な伝送媒体であってもよい。
【０１２８】
【発明の効果】
以上説明したように、請求項１に記載の発明によれば、顧客情報入力手段が、顧客の識別情報を入力し、電気料金情報取得手段が、前記顧客情報入力手段によって入力された顧客の識別情報に基づいて、前記顧客の過去の電気料金に関する情報を取得し、天候情報取得手段が、前記顧客情報入力手段によって入力された顧客の識別情報に基づいて、前記顧客の電力使用場所を含む地域または前記顧客の電力使用場所と関連がある地域における過去の天候情報を取得し、関連性分析手段が、前記電気料金情報取得手段によって取得された過去の電気料金に関する情報と、前記天候情報取得手段によって取得された過去の天候情報とに基づいて、前記顧客の電気料金と天候との関連性を分析するため、過去の電気料金の実績に基づいて、顧客ごとの電気料金と天候との関連性を容易に知ることができ、これによって、天候の変化による各顧客の電力の使用状況あるいは各顧客の電気料金に対するニーズに合致した天候デリバティブ内蔵型の電気料金の提案を効率的におこなうことが可能な電気料金提案支援装置が得られるという効果を奏する。
【０１２９】
また、請求項２に記載の発明によれば、請求項１に記載の発明において、料金メニュー決定手段が、前記関連性分析手段によって分析された結果に基づいて、料金メニューを決定するため、顧客ごとの電気料金と天候との関連性に基づいた料金メニューを容易に知ることができ、これによって、天候の変化による各顧客の電力の使用状況あるいは各顧客の電気料金に対するニーズに合致した天候デリバティブ内蔵型の電気料金の提案を効率的におこなうことが可能な電気料金提案支援装置が得られるという効果を奏する。
【０１３０】
また、請求項３に記載の発明によれば、請求項２に記載の発明において、前記料金メニュー決定手段が、顧客の電気料金をヘッジする料金メニューを決定するため、顧客にとって、天候の変動にともなう電気料金変動のリスクを軽減することができ、これによって、天候の変化による各顧客の電力の使用状況あるいは各顧客の電気料金に対するニーズに合致した天候デリバティブ内蔵型の電気料金の提案を効率的におこなうことが可能な電気料金提案支援装置が得られるという効果を奏する。
【０１３１】
また、請求項４に記載の発明によれば、請求項１〜３のいずれか一つに記載の発明において、登録手段が、前記関連性分析手段によって分析された結果に関する情報および前記料金メニュー決定手段によって決定された料金メニューに関する情報の少なくとも一つをインターネットやＬＡＮなどのネットワークを介して閲覧可能に所定の記憶領域に登録するため、顧客ごとの電気料金と天候との関連性や顧客ごとの電気料金と天候との関連性に基づいた料金メニューをインターネットやＬＡＮなどのネットワークを介して容易に知ることができ、これによって、天候の変化による各顧客の電力の使用状況あるいは各顧客の電気料金に対するニーズに合致した天候デリバティブ内蔵型の電気料金の提案を効率的におこなうことが可能な電気料金提案支援装置が得られるという効果を奏する。
【０１３２】
また、請求項５に記載の発明によれば、請求項１〜４のいずれか一つに記載の発明において、前記顧客情報入力手段が、前記ネットワークを介して前記顧客情報を受信するため、顧客ごとの電気料金と天候との関連性分析要求および顧客ごとの電気料金と天候との関連性に基づいた料金メニューの作成要求をインターネットやＬＡＮなどのネットワークを介して容易におこなうことができ、これによって、天候の変化による各顧客の電力の使用状況あるいは各顧客の電気料金に対するニーズに合致した天候デリバティブ内蔵型の電気料金の提案を効率的におこなうことが可能な電気料金提案支援装置が得られるという効果を奏する。
【０１３３】
また、請求項６に記載の発明によれば、請求項１〜５のいずれか一つに記載の発明において、前記関連性分析手段が、過去の所定の日時ごとに前記顧客の電気料金と天候とを比較することによって、前記顧客の電気料金と天候との関連性を分析するため、所定の日時、たとえば月単位ごと、週単位ごと、日単位ごとなどの電気料金と天候との関連性を容易に知ることができ、これによって、天候の変化による各顧客の電力の使用状況あるいは各顧客の電気料金に対するニーズに合致した天候デリバティブ内蔵型の電気料金の提案を効率的におこなうことが可能な電気料金提案支援装置が得られるという効果を奏する。
【０１３４】
また、請求項７に記載の発明によれば、請求項１〜６のいずれか一つに記載の発明において、前記関連性分析手段が、前記電気料金情報取得手段によって取得された過去の電気料金に関する情報と、前記天候情報取得手段によって取得された過去の天候情報と、さらに、月情報または曜日情報などの暦情報とに基づいて、前記顧客の電気料金と天候と暦との関連性を分析するため、顧客ごとの電気料金と天候との関連性だけでなく、暦情報を含めた相互の関連性（相関関係）を容易に知ることができ、これによって、天候の変化による各顧客の電力の使用状況あるいは各顧客の電気料金に対するニーズに合致した天候デリバティブ内蔵型の電気料金の提案を効率的におこなうことが可能な電気料金提案支援装置が得られるという効果を奏する。
【０１３５】
また、請求項８に記載の発明によれば、請求項１〜７のいずれか一つに記載の発明において、売上高／利益情報取得手段が、前記顧客情報入力手段によって入力された顧客の識別情報に基づいて、前記顧客の過去の売上高、経費または利益に関する情報を取得し、前記関連性分析手段が、前記電気料金情報取得手段によって取得された過去の電気料金に関する情報と、前記天候情報取得手段によって取得された過去の天候情報と、前記売上高／利益情報取得手段によって取得された過去の売上高、経費または利益に関する情報とに基づいて、前記顧客の電気料金と天候と売上高、経費または利益との関連性を分析するため、顧客ごとの電気料金と天候との関連性だけでなく、売上高、経費または利益に関する情報を含めた相互の関連性（相関関係）を容易に知ることができ、これによって、天候の変化による各顧客の電力の使用状況あるいは各顧客の電気料金に対するニーズに合致した天候デリバティブ内蔵型の電気料金の提案を効率的におこなうことが可能な電気料金提案支援装置が得られるという効果を奏する。
【０１３６】
また、請求項９に記載の発明によれば、請求項１〜８のいずれか一つに記載の発明において、前記天候情報が、気圧、気温、平均蒸気圧、湿度、雲量、日照時間、全天日射量、降水量、最深積雪、降雪深さ、風速、風向、水温の少なくとも一つに関する情報であるため、顧客ごとの電気料金と天候との関連性のうち、気圧、気温、平均蒸気圧、湿度、雲量、日照時間、全天日射量、降水量、最深積雪、降雪深さ、風速、風向、水温との関連性を容易に知ることができ、これによって、天候の変化による各顧客の電力の使用状況あるいは各顧客の電気料金に対するニーズに合致した天候デリバティブ内蔵型の電気料金の提案を効率的におこなうことが可能な電気料金提案支援装置が得られるという効果を奏する。
【０１３７】
また、請求項１０に記載の発明によれば、顧客情報入力工程が、顧客の識別情報を入力し、電気料金情報取得工程が、前記顧客情報入力工程によって入力された顧客の識別情報に基づいて、前記顧客の過去の電気料金に関する情報を取得し、天候情報取得工程が、前記顧客情報入力工程によって入力された顧客の識別情報に基づいて、前記顧客の電力使用場所を含む地域または前記顧客の電力使用場所と関連がある地域における過去の天候情報を取得し、関連性分析工程が、前記電気料金情報取得工程によって取得された過去の電気料金に関する情報と、前記天候情報取得工程によって取得された過去の天候情報とに基づいて、前記顧客の電気料金と天候との関連性を分析するため、過去の電気料金の実績に基づいて、顧客ごとの電気料金と天候との関連性を容易に知ることができ、これによって、天候の変化による各顧客の電力の使用状況あるいは各顧客の電気料金に対するニーズに合致した天候デリバティブ内蔵型の電気料金の提案を効率的におこなうことが可能な電気料金提案支援方法が得られるという効果を奏する。
【０１３８】
また、請求項１１に記載の発明によれば、請求項１０に記載の発明において、さらに、料金メニュー決定工程が、前記関連性分析工程によって分析された結果に基づいて、料金メニューを決定するため、顧客ごとの電気料金と天候との関連性に基づいた料金メニューを容易に知ることができ、これによって、天候の変化による各顧客の電力の使用状況あるいは各顧客の電気料金に対するニーズに合致した天候デリバティブ内蔵型の電気料金の提案を効率的におこなうことが可能な電気料金提案支援方法が得られるという効果を奏する。
【０１３９】
また、請求項１２に記載の発明によれば、請求項１１に記載の発明において、前記料金メニュー決定工程が、顧客の電気料金をヘッジする料金メニューを決定するため、顧客にとって、天候の変動にともなう電気料金変動のリスクを軽減することができ、これによって、天候の変化による各顧客の電力の使用状況あるいは各顧客の電気料金に対するニーズに合致した天候デリバティブ内蔵型の電気料金の提案を効率的におこなうことが可能な電気料金提案支援方法が得られるという効果を奏する。
【０１４０】
また、請求項１３に記載の発明によれば、請求項１０〜１２のいずれか一つに記載の発明において、前記関連性分析工程が、過去の所定の日時ごとに前記顧客の電気料金と天候とを比較することによって、前記顧客の電気料金と天候との関連性を分析するため、所定の日時、たとえば月単位ごと、週単位ごと、日単位ごとなどの電気料金と天候との関連性を容易に知ることができ、これによって、天候の変化による各顧客の電力の使用状況あるいは各顧客の電気料金に対するニーズに合致した天候デリバティブ内蔵型の電気料金の提案を効率的におこなうことが可能な電気料金提案支援方法が得られるという効果を奏する。
【０１４１】
また、請求項１４に記載の発明によれば、請求項１０〜１３のいずれか一つに記載の発明において、前記関連性分析工程が、前記電気料金情報取得工程によって取得された過去の電気料金に関する情報と、前記天候情報取得工程によって取得された過去の天候情報と、さらに、月情報または曜日情報などの暦情報とに基づいて、前記顧客の電気料金と天候と暦との関連性を分析するため、顧客ごとの電気料金と天候との関連性だけでなく、暦情報を含めた相互の関連性（相関関係）を容易に知ることができ、これによって、天候の変化による各顧客の電力の使用状況あるいは各顧客の電気料金に対するニーズに合致した天候デリバティブ内蔵型の電気料金の提案を効率的におこなうことが可能な電気料金提案支援方法が得られるという効果を奏する。
【０１４２】
また、請求項１５に記載の発明によれば、請求項１０〜１４のいずれか一つに記載の発明において、売上高／利益情報取得工程が、前記顧客情報入力工程によって入力された顧客の識別情報に基づいて、前記顧客の過去の売上高、経費または利益に関する情報を取得し、前記関連性分析工程が、前記電気料金情報取得工程によって取得された過去の電気料金に関する情報と、前記天候情報取得工程によって取得された過去の天候情報と、前記売上高／利益情報取得工程によって取得された過去の売上高、経費または利益に関する情報とに基づいて、前記顧客の電気料金と天候と売上高、経費または利益との関連性を分析するため、顧客ごとの電気料金と天候との関連性だけでなく、売上高、経費または利益に関する情報を含めた相互の関連性（相関関係）を容易に知ることができ、これによって、天候の変化による各顧客の電力の使用状況あるいは各顧客の電気料金に対するニーズに合致した天候デリバティブ内蔵型の電気料金の提案を効率的におこなうことが可能な電気料金提案支援方法が得られるという効果を奏する。
【０１４３】
また、請求項１６に記載の発明によれば、請求項１０〜１５のいずれか一つに記載された方法をコンピュータに実行させることによって、請求項１０〜１５のいずれか一つの動作をコンピュータによって実現することが可能なプログラムが得られるという効果を奏する。
【図面の簡単な説明】
【図１】この発明の本実施の形態の概略を示す説明図である。
【図２】この発明の本実施の形態にかかる電気料金提案支援装置を含む電気料金提案システムのシステム構成を示す説明図である。
【図３】この発明の本実施の形態にかかる電気料金提案支援装置のハードウエア構成を示す説明図（ブロック図）である。
【図４】この発明の本実施の形態にかかる電気料金提案支援装置の機能的構成を示す説明図（ブロック図）である。
【図５】この発明の本実施の形態にかかる電気料金提案支援装置の電力使用量／電気料金データベースのデータ構成の一例を示す説明図である。
【図６】この発明の本実施の形態にかかる電気料金提案支援装置の天候情報データベースのデータ構成の一例を示す説明図である。
【図７】この発明の本実施の形態にかかる電気料金提案支援装置の売上高／利益情報データベースのデータ構成の一例を示す説明図である。
【図８】この発明の本実施の形態にかかる電気料金提案支援装置の一連の処理の内容を示すフローチャートである。
【図９】この発明の本実施の形態にかかる電気料金提案支援装置の、電力使用量／電気料金と天候の関連性の分析処理の内容を示すフローチャートである。
【図１０】この発明の本実施の形態にかかる電気料金提案支援装置の、電力使用量／電気料金と天候と売上高、経費または利益との関連性の分析処理の内容を示すフローチャートである。
【図１１】この発明の本実施の形態にかかる電気料金提案支援装置を含む電気料金提案システムにおける情報端末装置の表示画面の一例を示す説明図である。
【図１２】この発明の本実施の形態にかかる電気料金提案支援装置を含む電気料金提案システムにおける情報端末装置の表示画面の別の一例を示す説明図である。
【図１３】この発明の本実施の形態にかかる電気料金提案支援装置を含む電気料金提案システムにおける情報端末装置の表示画面の別の一例を示す説明図である。
【図１４】この発明の本実施の形態にかかる電気料金提案支援装置を含む電気料金提案システムにおける情報端末装置の表示画面の別の一例を示す説明図である。
【図１５】この発明の本実施の形態にかかる電気料金提案支援装置を含む電気料金提案システムにおける情報端末装置の表示画面の別の一例を示す説明図である。
【図１６】この発明の本実施の形態にかかる電気料金提案支援装置における料金イメージを示す説明図である。
【図１７】この発明の本実施の形態にかかる電気料金提案支援装置における別の料金イメージを示す説明図である。
【図１８】この発明の本実施の形態にかかる電気料金提案支援装置における別の料金イメージを示す説明図である。
【符号の説明】
１００  ネットワーク（インターネット、ＬＡＮ）
１０１  顧客
１０２  電力会社
２００  電力会社サーバ（電気料金提案支援装置）
２０１  担当者端末装置
２０２  顧客端末装置
３００  バス
３０１  ＣＰＵ
３０２  ＲＯＭ
３０３  ＲＡＭ
３０４  ＨＤＤ（ハードディスクドライブ）
３０５  ＨＤ（ハードディスク）
３０６  ＦＤＤ（フレキシブルディスクドライブ）
３０７  ＦＤ（フレキシブルディスク）
３０８  ディスプレイ
３０９  Ｉ／Ｆ（インタフェース）
３１０  通信回線
３１１  キーボード
３１２  マウス
３１３  スキャナ
３１４  プリンタ
３１５  ＣＤ−ＲＯＭ
３１６  ＣＤ−ＲＯＭドライブ
４０１  顧客情報入力（受信）部
４０２  電力使用量／電気料金情報取得部
４０３  電力使用量／電気料金データベース
４０４  天候情報取得部
４０５  天候情報データベース
４０６  売上高／利益情報取得部
４０７  売上高／利益情報データベース
４０８  関連性分析部
４０９  料金メニュー決定部
４１０  サイト登録部
１１００，１２００，１３００，１４００，１５００  表示画面
【図１】
2005018647.tif 000003
【図２】
2005018647.tif 000004
【図３】
2005018647.tif 000005
【図４】
2005018647.tif 000006
【図５】
2005018647.tif 000007
【図６】
2005018647.tif 000008
【図７】
2005018647.tif 000009
【図８】
2005018647.tif 000010
【図９】
2005018647.tif 000011
【図１０】
2005018647.tif 000012
【図１１】
2005018647.tif 000013
【図１２】
2005018647.tif 000014
【図１３】
2005018647.tif 000015
【図１４】
2005018647.tif 000016
【図１５】
2005018647.tif 000017
【図１６】
2005018647.tif 000018
【図１７】
2005018647.tif 000019
【図１８】
2005018647.tif 000020